(57)【要約】【課題】１つのモータを駆動源とするコンパクトで構造の簡単な駆動機構を用いて、可動板を表示画面に対して上方から出入させると共に表示画面の前方で左右方向へ往復移動させることができる可動役物装置を提供する。【解決手段】モータ２４を駆動源として回転するスクリューシャフト２８にその軸線方向へ往復移動するスライダ３１を係合し、このスライダ３１の移動方向の末端位置（第１位置）で可動板３２の当接部３２ｂをストッパ３０ａの上面に当接させることにより、可動板３２を装飾ケース１１の上部内方の収納スペースＳ１内に水平姿勢で格納すると共に、スライダ３１の移動に伴って当接部３２ｂがストッパ３０ａから外れることにより、可動板３２を下方へ回転させて表示画面１２ａの前方に垂直姿勢で露出させるようにした。【選択図】図９
2010183962.tif 000002
【特許請求の範囲】
【請求項１】
可変表示装置の表示画面を包囲する装飾ケースに配設され、電子抽選の結果を可動態様によって遊技者に示唆する可動役物装置において、
前記装飾ケースの上部内方に画成された収納スペースと、この収納スペースの内部に水平方向へ延びるように配置されたスクリューシャフトと、このスクリューシャフトを正逆両方向へ回転動作するモータと、前記スクリューシャフトに所定間隔を存して平行に対向配置されたガイド部材と、このガイド部材に往復動可能に案内されると共に前記スクリューシャフトの螺旋状溝に係合するスライダと、このスライダに軸部を介して回転可能に支持された可動板と、前記スクリューシャフトの端部近傍に配置されたストッパとを備え、
前記スライダは前記スクリューシャフトの回転動作に伴って第１位置と第２位置との間を水平方向へ移動可能であると共に、前記可動板は前記軸部の近傍に前記ストッパと係脱可能な当接部を有しており、
前記スライダの前記第１位置で前記当接部を前記ストッパの上面に当接させることにより、前記可動板を水平姿勢に回転させて前記収納スペースの内部に格納し、
前記スライダの前記第１位置から前記第２位置に向かう移動途中で前記当接部と前記ストッパとの当接を解除することにより、前記可動板を垂直姿勢に回転させて前記収納スペースから前記表示画面の前方に露出させるようにしたことを特徴とする可動役物装置。
【請求項２】
請求項１の記載において、前記スライダに前記可動板の一部と当接して該可動板を垂直姿勢に角度規制する受け部を形成すると共に、前記可動板を前記受け部と当接する方向へ付勢するばね部材を設けたことを特徴とする可動役物装置。
【請求項３】
請求項２の記載において、前記当接部を直線部分を有する凸形状に形成し、前記可動板の水平姿勢で前記直線部分を前記ストッパの上面に当接させると共に、前記可動板の垂直姿勢で前記直線部分を前記ストッパの側面に対向させたことを特徴とする可動役物装置。
【発明の詳細な説明】
【技術分野】
【０００１】
本発明は、弾球遊技機に備えられる可動役物装置に係り、特に、可変表示装置の表示画面前方を左右方向へ往復移動可能な可動板を有する可動役物装置に関するものである。
【背景技術】
【０００２】
パチンコ機に代表される弾球遊技機の中には、遊技盤の遊技領域に可変表示装置や始動入賞口を設け、遊技領域に向けて発射された遊技球が始動入賞口に入賞したことを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置の表示画面に所定の特別図柄の組み合わせが表示され、通常モードから特別遊技モードへと移行する。この特別遊技モードでは、例えばアタッカーが開放動作して露呈された大入賞口に遊技球が入るので、遊技者は多くの賞球を獲得することができる。
【０００３】
このような弾球遊技機において、可変表示装置の表示画面を包囲する装飾ケースに可動役物装置を配置し、電子抽選で当選していることを可動役物装置の可動態様によって示唆または報知するようにしたものが広く採用されている。かかる可動役物装置はモータやソレノイド等のアクチュエータを駆動源として種々の運動を行うようになっており、従来より、透明材料で形成された可動板を可変表示装置の表示画面前方で左右方向へ往復移動させるようにした可動役物装置が知られている（例えば、特許文献１参照）。
【０００４】
かかる従来の可動役物装置は、モータを駆動源として正逆両方向へ回転動作するスクリューシャフトと、このスクリューシャフトに所定間隔を存して平行に対向配置されたガイドシャフトと、これらスクリューシャフトとガイドシャフトに係合するスライダと、このスライダに一体化されて下方へ垂下する可動板等を備えており、スライダにはスクリューシャフトの螺旋状溝に係合する突起が形成されている。これにより、スクリューシャフトが正逆いずれかの方向へ回転すると、スライダがガイドシャフトに案内されながらスクリューシャフトの軸線方向へ直線運動し、スライダと一体の可動板が可変表示装置の表示画面前方を左右方向へ往復移動する。なお、表示画面を包囲する装飾ケースの一側部背面には非作動時の可動板を格納できる収納スペースが確保されており、可変表示装置における特別図柄の表示が通常リーチからスーパーリーチに移行する場合や、スーパーリーチでハズレが確定してから復活大当たりとなった場合のように、大当たりに対する遊技者の期待感が高まったときに、可動板を装飾ケースの収納スペースから表示画面の前方に露出させるようになっている。
【０００５】
このように特許文献１に開示された従来の可動役物装置では、装飾ケースの収納スペース内に隠されていた可動板が表示画面の側方から突然飛び出した後、表示画面の前方を左右方向へ往復移動するという動きを実現できるため、かかる可動板の動きと表示画面上の表示内容との組合せによって遊技の演出効果を高めることができる。
【先行技術文献】
【特許文献】
【０００６】
【特許文献１】特開２００５−３４３１６号公報
【発明の概要】
【発明が解決しようとする課題】
【０００７】
ところで、装飾ケースのデザインや大きさ等は近年非常に多様化しており、例えば装飾ケースの側部に可動板とは別の可動役物を配置したり、あるいは表示画面の大型化に伴って装飾ケースの側部寸法を短くしなければならないこともある。このような場合、可動板の収納スペースを装飾ケースの側部背面に確保することが困難となるため、可動板の収納スペースを装飾ケースの側部の代わりに上部背面に確保し、可動板を上記とは別の駆動機構を用いて上下動させる必要がある。しかしながら、可動板を２種類の駆動機構を用いて垂直方向と水平方向に移動させようとすると、駆動機構全体が大型化すると共にコスト高にもなるという問題があった。
【０００８】
本発明は、このような従来技術の実情に鑑みてなされたもので、その目的は、１つのモータを駆動源とするコンパクトで構造の簡単な駆動機構を用いて、可動板を表示画面に対して上方から出入させると共に表示画面の前方で左右方向へ往復移動させることができる可動役物装置を提供することにある。
【課題を解決するための手段】
【０００９】
上記の目的を達成するために、本発明は、可変表示装置の表示画面を包囲する装飾ケースに配設され、電子抽選の結果を可動態様によって遊技者に示唆する可動役物装置において、前記装飾ケースの上部内方に画成された収納スペースと、この収納スペースの内部に水平方向へ延びるように配置されたスクリューシャフトと、このスクリューシャフトを正逆両方向へ回転動作するモータと、前記スクリューシャフトに所定間隔を存して平行に対向配置されたガイド部材と、このガイド部材に往復動可能に案内されると共に前記スクリューシャフトの螺旋状溝に係合するスライダと、このスライダに軸部を介して回転可能に支持された可動板と、前記スクリューシャフトの端部近傍に配置されたストッパとを備え、前記スライダは前記スクリューシャフトの回転動作に伴って第１位置と第２位置との間を水平方向へ移動可能であると共に、前記可動板は前記軸部の近傍に前記ストッパと係脱可能な当接部を有しており、前記スライダの前記第１位置で前記当接部を前記ストッパの上面に当接させることにより、前記可動板を水平姿勢に回転させて前記収納スペースの内部に格納し、前記スライダの前記第１位置から前記第２位置に向かう移動途中で前記当接部と前記ストッパとの当接を解除することにより、前記可動板を垂直姿勢に回転させて前記収納スペースから前記表示画面の前方に露出させるように構成した。
【００１０】
このように構成された可動役物装置において、第１位置で可動板の当接部がストッパの上面に当接している場合、可動板は装飾ケースの上部内方に画成された収納スペースの内部に水平姿勢で格納されており、この状態でモータを駆動源としてスクリューシャフトが一方向へ回転動作すると、スライダが可動板と一緒にスクリューシャフトの軸線方向に沿って第１位置から第２位置へ移動開始する。これにより当接部がストッパから外れるため、可動板が軸部を中心に下方へ回転して表示画面の前方に露出し、その後はスクリューシャフトのさらなる回転動作により、可動板はスライダに吊り下げられた垂直姿勢で表示画面の前方を左右方向へ移動する。また、可動板が表示画面の前方に垂直姿勢で露出している状態で、モータを駆動源としてスクリューシャフトが他方向へ回転動作すると、上記と逆の動作が行われる。すなわち、スライダに吊り下げられた可動板がストッパに当接した後、スライダがさらに第１位置に向かって移動することにより、可動板が軸部を中心に上方へ回転して収納スペースの内部に水平姿勢で格納される。したがって、１つのモータを駆動源とするコンパクトで構造の簡単な駆動機構を用いて、可動板を表示画面に対して上方から出入させると共に表示画面の前方で左右方向へ往復移動させることができる。
【００１１】
上記の構成において、前記スライダに前記可動板の一部と当接して該可動板を垂直姿勢に角度規制する受け部を形成すると共に、前記可動板を前記受け部と当接する方向へ付勢するばね部材を設けると、可動板が軸部を中心に下方へ回転する動作をばね部材の付勢力によってアシストできると共に、モータを駆動源としてスクリューシャフトを正逆両方向へ小刻みに往復回転させることにより、表示画面の上方から吊り下げられた可動板が揺れているような動きを実現できて好ましい。
【００１２】
この場合において、前記当接部を直線部分を有する凸形状に形成し、前記可動板の水平姿勢で前記直線部分を前記ストッパの上面に当接させると共に、前記可動板の垂直姿勢で前記直線部分を前記ストッパの側面に対向させると、可動板を水平姿勢と垂直姿勢との間で安定的に回転することができて好ましい。
【発明の効果】
【００１３】
本発明の可動役物装置は、モータによって回転するスクリューシャフトにその軸線方向へ往復移動するスライダを係合し、このスライダの移動末端位置で該スライダに回転可能に支持した可動板の当接部をストッパの上面に当接させることにより、可動板を装飾ケースの上部内方に画成された収納スペースの内部に水平姿勢で格納すると共に、スライダの移動に伴って当接部がストッパから外れることにより、可動板を下方へ回転させて表示画面の前方に垂直姿勢で露出するようにしたので、１つのモータを駆動源とするコンパクトで構造の簡単な駆動機構を用いて、可動板を表示画面に対して上方から出入させると共に表示画面の前方で左右方向へ往復移動させることができる。
【図面の簡単な説明】
【００１４】
【図１】本発明の実施形態例に係る弾球遊技機の斜視図である。
【図２】該弾球遊技機に備えられる遊技盤の正面図である。
【図３】該遊技盤に備えられる中央役物ユニットを前面側から見た斜視図である。
【図４】該中央役物ユニットを裏面側から見た斜視図である。
【図５】該中央役物ユニットに備えられる可動役物装置の正面図である。
【図６】該可動役物装置を前面側から見た斜視図である。
【図７】該可動役物装置を裏面側から見た斜視図である。
【図８】該可動役物装置の動作説明図である。
【図９】該可動役物装置の動作説明図である。
【図１０】該可動役物装置の動作説明図である。
【図１１】該可動役物装置の動作説明図である。
【発明を実施するための最良の形態】
【００１５】
図１に示すように、本実施形態例に係る弾球遊技機は、遊技場の島設備に配置される機枠１と、機枠１に扉状に開閉自在に取り付けられた前面枠２と、前面枠２に収納保持された後述する遊技盤３と、前面枠２の前面に扉状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１６】
図２に示すように、遊技盤３の盤面はガイドレール８等で囲まれた遊技領域９となっており、発射ハンドル６が遊技者によって任意角度に回転操作されると、図示せぬ発射装置が受け皿７に貯留された遊技球を遊技領域９に向けて連続的に打ち出すようになっている。遊技領域９の上部中央付近には中央役物ユニット１０が配設されており、この中央役物ユニット１０は枠状の装飾ケース１１と液晶パネル（ＬＣＤ）からなる可変表示装置１２とを具備している。装飾ケース１１は可変表示装置１２の前方に配設されており、この装飾ケース１１の中央に開設された矩形状の開口１１ａ内に可変表示装置１２の表示画面１２ａが露出している。また、中央役物ユニット１０の真下位置には一対の始動入賞口１３，１４が配設されており、上側の始動入賞口１３は上面に入賞孔を有する始動入賞口であるが、下側の始動入賞口１４は一対の可動片を有する電動チューリップ構造の始動入賞口となっている。そして、両始動入賞口１３，１４のいずれか一方に遊技球が入賞すると、それを契機として特別図柄表示の電子抽選が行われ、可変表示装置１２の表示画面１２ａ上で図柄の変動表示と停止表示が行われる。また、中央役物ユニット１０の左側には通過チャッカー１５が配設されており、この通過チャッカー１５を遊技球が通過したことを契機に普通図柄表示の電子抽選が行われ、その抽選結果が当たりの場合に下側の始動入賞口１４の可動片を一時的に開放して遊技球の入球を許可するようになっている。さらに、始動入賞口１３，１４の真下位置には大入賞口（図示せず）を開閉動作するアタッカー１６が配設されており、アタッカー１６の左右両側には複数の一般入賞口１７が配設されている。なお、いずれの始動入賞口１３，１４や一般入賞口１７に入賞しなかった遊技球は、遊技領域９の最下端部に設けられたアウト口１８から遊技盤３の裏面側に排出されるようになっている。
【００１７】
図３と図４に示すように、前記中央役物ユニット１０の装飾ケース１１には開口１１ａの下辺に隣接するステージ１９が設けられており、このステージ１９の左上部にはワープ出口２０が形成されている。図示省略されているが、このワープ出口２０は装飾ケース１１の左側壁の内部に設けられたワープルートを介して上方のワープ入口に連通しており、ワープ入口に入球した遊技球がワープルートを通ってワープ出口２０からステージ１９上に誘導されるようになっている。ステージ１９の中央部には溝１９ａが形成されており、前述した始動入賞口１３がこの溝１９ａの真下に配置されているため、溝１９ａから落下した遊技球は高い確率で始動入賞口１３へと導かれる。また、装飾ケース１１の右側壁には動物の頭部を模した可動役物２１が配設されており、この可動役物２１の背面側には該可動役物２１の一部を可動させるための駆動機構（図示せず）が配設されている。さらに、装飾ケース１１の上壁には水平方向（左右方向）に延びるスリット２２が開設されており、このスリット２２に連通する上方空間が収納スペースＳ１となっている。収納スペースＳ１の内部には本発明の実施形態例に係る可動役物装置２３が配設されており、以下、この可動役物装置２３について図５〜図７を参照して詳細に説明する。
【００１８】
本実施形態例に係る可動役物装置２３は、装飾ケース１１の裏面に取り付けられたモータ２４と、モータ２４に減速ギアユニット２５と一対の歯車２６，２７を介して連結されたスクリューシャフト２８と、スクリューシャフト２８に所定間隔を存して平行に対向配置されたガイドシャフト２９と、スクリューシャフト２８とガイドシャフト２９の一端部に配置されたＬ字形状の支持部材３０と、スクリューシャフト２８とガイドシャフト２９に係合されたスライダ３１と、スライダ３１に回転可能に支持された可動板３２等よって構成されており、モータ２４が正逆いずれかの方向へ回転すると、その回転が減速ギアユニット２５の図示せぬ複数の歯車や一対の歯車２６，２７を介してスクリューシャフト２８に伝達されるようになっている。このスクリューシャフト２８の外周面には螺旋状溝２８ａが刻設されており、スクリューシャフト２８とガイドシャフト２９は収納スペースＳ１内で水平方向（左右方向）に延びている。
【００１９】
支持部材３０は装飾ケース１１の裏面に図示せぬネジによって固定されており、この支持部材３０には平板状のストッパ３０ａが形成されている。ストッパ３０ａはスクリューシャフト２８の一端部の下方に平行に延びており、これらストッパ３０ａとスクリューシャフト２８との間に水平方向に延びるクリアランスＳ２が確保されている（図５参照）。また、支持部材３０には回路基板３３が垂直姿勢で取り付けられており、この回路基板３３にはフォトインタラプタからなる光センサ３４が実装されている。
【００２０】
スライダ３１は半割構造の上側移動体３５と下側移動体３６からなり、これら上側移動体３５と下側移動体３６はスクリューシャフト２８を上下方向から挟んでねじ止めすることにより一体化されている。上側移動体３５は下面を開放した逆Ｕ字状の半筒部３５ａを有し、この半筒部３５ａの内周面に形成された図示せぬ突起がスクリューシャフト２８の螺旋状溝２８ａと係合している。半筒部３５ａの外周面には検出片３５ｂが形成されており、後述するように、この検出片３５ｂが光センサ３４の光路を遮断することによってスライダ３１の原点位置が検出されるようになっている。また、半筒部３５ａの外周面には一対の支軸３５ｃ，３５ｄが形成されており、これら支軸３５ｃ，３５ｄはスクリューシャフト２８の軸線と直交する前後方向へ突出している。さらに半筒部３５ａの上面には一対の規制突起３５ｅが形成されており、ガイドシャフト２９はこれら規制突起３５ｅによって挟まれている。したがって、モータ２４を駆動源としてスクリューシャフト２８が回転すると、スライダ３１（上側移動体３５と下側移動体３６）がガイドシャフト２９に案内されながらスクリューシャフト２８の軸線に沿って水平方向（図５のＸ１−Ｘ２方向）へ往復移動する。なお、下側移動体３６には受け部３６ａが形成されており、この受け部３６ａは上側移動体３５の支軸３５ｄと同方向へ突出している。
【００２１】
可動板３２は射撃競技の標的を模した役物であり、透明または半透明な合成樹脂によって形成されている。可動板３２の一端部には軸孔３２ａが形成されており、この軸孔３２ａは上側移動体３５の後側の支軸３５ｄに挿入されている。一方、上側移動体３５の前側の支軸３５ｃには止め板３７の軸孔３７ａが挿入されており、これら可動板３２と止め板３７はスクリューシャフト２８を前後方向から挟んでねじ止めすることにより一体化されている。これにより、可動板３２と止め板３７はスライダ３１に軸部（支軸３５ｃ，３５ｄ）を中心として抜け止めされた状態で回転可能に支持されている。ただし、可動板３２の回転角度は下側移動体３６の受け部３６ａによって角度規制されるようになっており、図５に示すように、可動板３２の側部が受け部３６ａに当接した時点でそれ以上の回転が規制され、当該位置で可動板３２は垂直姿勢に保たれている。可動板３２の軸孔３２ａの近傍には凸形状の当接部３２ｂが形成されており、この当接部３２ｂは直線部分３２ｂ−１を有している。詳細な動作については後述するが、スライダ３１が図５のＸ２方向へ移動して当接部３２ｂがストッパ３０ａから離れた位置にあるとき、可動板３２は自重により回転して垂直姿勢に保たれており、この場合、可動板３２はスリット２２を通って可変表示装置１２の表示画面１２ａの前方へ落下した突出状態となる。これに対し、スライダ３１が図５のＸ１方向の末端位置まで移動してクリアランスＳ２の上方に達すると、当接部３２ｂの直線部分３２ｂ−１がストッパ３０ａの上面に当接することにより、可動板３２は図５の垂直姿勢から同図の反時計回りに９０度回転して収納スペースＳ１の内部に水平姿勢で格納された状態となる。また、当接部３２ｂと上側移動体３５との間にはばね部材であるコイルばね３８が張架されており、このコイルばね３８の弾性力によって可動板３２が図５の時計回り方向へ回転付勢されるため、可動板３２の側部は下側移動体３６の受け部３６ａに圧接されている。
【００２２】
次に、このように構成された可動役物装置２３の動作を主として図８〜図１１を参照して説明する。なお、これら図８〜図１１は可動役物装置２３を装飾ケース１１の裏面側から見た動作説明図であるため、前述した図５とはスライダ３１の移動方向や部品の配置関係が左右で逆になっている。
【００２３】
本実施形態例に係る可動役物装置２３において、通常、スライダ３１（上側移動体３５と下側移動体３６）は図８に示すようにホームポジションにあり、このホームポジションをＸ１方向の末端位置である「第１位置」と呼び、Ｘ２方向の末端位置を「第２位置」と呼ぶと、スライダ３１は「第１位置」でクリアランスＳ２の上方に位置している。この場合、可動板３２の当接部３２ｂの直線部分３２ｂ−１がストッパ３０ａの上面に当接しているため、可動板３２は左右方向に横臥した水平姿勢で収納スペースＳ１の内部に格納されており、可変表示装置１２の表示画面１２ａに対して可動板３２は装飾ケース１１の上部内方に隠れた状態となっている。また、スライダ３１に設けられた検出片３５ｂが光センサ３４の光路を遮断する位置にあるため、「第１位置」で光センサ３４から出力されるオフ信号に基づいてスライダ３１の原点位置が検出される。
【００２４】
スライダ３１が図８に示す「第１位置」にあるときに、モータ２４の回転（例えば正転）によってスクリューシャフト２８が一方向へ回転を開始すると、スライダ３１がガイドシャフト２９に案内されながらスクリューシャフト２８の軸線に沿ってＸ１方向の末端位置からＸ２方向（図８の左方向）へ移動開始し、それに伴って検出片３５ｂが光センサ３４の光路から退避するため、光センサ３４がオフ状態からオン状態へ切り替わる。そして、スライダ３１がＸ２方向へ所定量移動する間に当接部３２ｂとストッパ３０ａの当接箇所が上面から側面へと移行するため、図９に示すように可動板３２が支軸３５ｄを中心に同図の反時計回りに回転し、当接部３２ｂの直線部分３２ｂ−１がストッパ３０ａの側面に当接した時点で可動板３２の回転が停止し、図１０に示すように可動板３２はスライダ３１に垂直姿勢で吊り下げられた状態となる。これにより、収納スペースＳ１の内部に格納されていた可動板３２がスリット２２を通って下方へ９０度回転し、図２に示すように、表示画面１２ａの前方左側に可動板３２が落下して吊り下げ状態で露出する。なお、かかる可動板３２の回転動作がコイルばね３８の引張力によってアシストされるため、可動板３２を水平姿勢から垂直姿勢へ安定的に回転させることができる。
【００２５】
可動板３が図１０に示す垂直姿勢まで回転した後、スライダ３１がさらにＸ２方向へ移動すると、可動板３２はスライダ３１に吊り下げられた状態で同図の左方向へ移動してストッパ３０ａから離れる。このとき、コイルばね３８の引張力によって可動板３２の側部が下側移動体３６の受け部３６ａに圧接されているため、可動板３２は垂直姿勢を維持した吊り下げ状態で図１０の左方向へ向かって、すなわち表示画面１２ａの前方を図２の左側位置から右側へ向かって移動する。
【００２６】
そして、スライダ３１が図１１に示すようにＸ２方向の末端の「第２位置」まで達すると、モータ２４を駆動停止することでスクリューシャフト２８の回転が停止し、この時点でスライダ３１はスクリューシャフト２８の軸線に沿って「第１位置」から「第２位置」まで移動する。したがって、可動板３２はスライダ３１に吊り下げられた垂直姿勢を保ったまま表示画面１２ａの前方を水平方向に移動し、図２の左側位置から表示画面１２ａの前面を通過して右側の可動役物２１の手前位置で停止することとなる。その際、標的を模した可動板３２に向けて弾が発射された様子等を可変表示装置１２の表示画面１２ａ上に表示すれば、表示画面１２ａの表示内容と可動板３２の動きとの関連性が強まるため、可動板３２による遊技の演出効果を著しく高めることができる。なお、スライダ３１を「第１位置」から「第２位置」まで移動させるのに必要なモータ２４の回転量は、前述した原点位置の検出信号に基づいて正確に制御することができる。
【００２７】
また、スライダ３１が図１１で示す「第２位置」にあるときに、モータ２４を逆転させてスクリューシャフト２８が他方向へ回転を開始すると、上記と逆の動作が行われる。この場合、「第２位置」にあるスライダ３１がＸ１方向（図１１の右方向）へ移動すると、可動板３２は垂直姿勢を保ったままスライダ３１と一緒に同方向へ移動し、図１０に示すように「第１位置」の手前で当接部３２ｂの直線部分３２ｂ−１がストッパ３０ａの側面に当接する。そして、スライダ３１がさらにＸ１方向へ移動してクリアランスＳ２の上方に侵入すると、可動板３２が支軸３５ｄを中心に図９の時計回りに回転し始め、スライダ３１がＸ１方向の末端まで移動して「第１位置」まで達すると、当接部３２ｂの直線部分３２ｂ−１がストッパ３０ａの上面に当接するため、図８に示すように可動板３２は水平姿勢まで回転して収納スペースＳ１の内部に格納される。このとき、光センサ３４が検出片３５ｂを検出してオン状態からオフ状態へ切り替わるため、光センサ３４のオフ信号に基づいてモータ２４が停止し、スライダ３１をホームポジションである「第１位置」に待機させる。これにより、表示画面１２ａの前方に吊り下げ状態で露出していた可動板３２がスリット２２を通って上方へ９０度回転し、装飾ケース１１の上部内方に隠れた状態となる。
【００２８】
ここで、可変表示装置１２における矩形状の表示画面１２ａでは、始動入賞口１３，１４への遊技球の入賞によって横並びの左・中・右の３図柄が各々個別に変動表示し、かつ各々の図柄がランダムなタイミングで停止表示する表示制御が行われるようになっている。そして、それら３図柄の停止表示が特定の図柄組合せのときには「大当たり表示」を示し、それ以外は「ハズレ表示」を示すこととなる。可動板３２は前述した３図柄のうちの１つを完全に覆い隠せるように表示画面１２ａの縦方向半分より下方位置まで到達する縦長の装飾プレートとしており、表示画面１２ａの横幅寸法（左右方向の長さ）は可動板３２の縦方向の長さ以上となるため、表示画面１２ａの上部に可動板３２の収納スペースＳ１を十分に確保することができる。また、スライダ３１がストッパ３０ａの上方のクリアランスＳ２内で左右方向へ僅かにスライド移動するだけで、可動板３２が水平姿勢から垂直姿勢に回転して表示画面１２ａの前方に落下するようになっているため、可動板３２を表示画面１２ａに対して素早い動きで出入させることができ、ダイナミックな可動アクションを可能にしている。
【００２９】
以上説明したように、本実施形態例に係る可動役物装置２３では、モータ２４を駆動源として正逆両方向に回転するスクリューシャフト２８にその軸線方向へ往復移動するスライダ３１を係合し、このスライダ３１の移動方向の末端位置（第１位置）で可動板３２の当接部３２ｂをストッパ３０ａの上面に当接させることにより、可動板３２を表示画面１２ａの上方に配置された装飾ケース１１の収納スペースＳ１内に水平姿勢で格納すると共に、スライダ３１の移動に伴って当接部３２ｂがストッパ３０ａから外れることにより、可動板３２を下方へ回転させて表示画面１２ａの前方に垂直姿勢で露出させるようにしたので、１つのモータ２４を駆動源とするコンパクトで構造の簡単な駆動機構を用いて、可動板３２を表示画面１２ａに対して上方から出入させると共に表示画面１２ａの前方で左右方向へ往復移動させることができる。
【００３０】
また、スライダ３１の構成部品である下側移動体３６に受け部３６ａを形成し、この受け部３６ａによって可動板３２を垂直姿勢に角度規制すると共に、コイルばね３８によって可動板３２を受け部３６ａと圧接する方向へ付勢するようにしたので、コイルばね３８のアシスト力によって可動板３２を水平姿勢から垂直姿勢へスムーズに回転させることができる。また、スライダ３１が「第１位置」と「第２位置」の間に位置しているときに、モータ２４を駆動制御してスクリューシャフト２８を正逆両方向へ小刻みに往復回転させると、コイルばね３８の弾性力によって可動板３２が受け部３６ａに対して連続的に接離するため、可動板３２に向けて弾が発射された様子等を表示画面１２ａ上に表示した後、この可動板３２が弾の撃ち込みによって小刻みに揺れているような動きを実現することができる。さらに、可動板３２の当接部３２ｂを直線部分３２ｂ−１を有する凸形状に形成し、可動板３２の水平姿勢で直線部分３２ｂ−１をストッパ３０ａの上面に当接させると共に、可動板３２の垂直姿勢で直線部分３２ｂ−１をストッパ３０ａの側面に対向させるようにしたので、可動板３２を水平姿勢と垂直姿勢との間で安定的に回転させることができる。
【００３１】
なお、上記実施形態例では、ストッパ３０ａをスクリューシャフト２８のＸ１側の端部に配設することにより、スライダ３１の「第１位置」で可動板３２を水平姿勢と垂直姿勢との間で回転させる場合について説明したが、ストッパ３０ａをスクリューシャフト２８のＸ２側の端部に配設し、スライダ３１の「第２位置」で可動板３２を水平姿勢と垂直姿勢との間で回転させるようにしても良い。あるいは、ストッパ３０ａをスクリューシャフト２８のＸ１側とＸ２側の両端部に配設することにより、スライダ３１の「第１位置」と「第２位置」の両方で可動板３２を水平姿勢と垂直姿勢との間で回転させ、それ以外の中間位置で可動板３２を表示画面１２ａの前方に垂直姿勢で露出させることも可能である。
【００３２】
また、上記実施形態例では、可動板３２を透明または半透明な材料で形成することにより、可変表示装置１２の表示画面１２ａに表示された内容が可動板３２を透して目視可能としているが、可動板３２を不透明な材料で形成しても良い。この場合、表示画面１２ａの前方を左右方向へ移動する不透明な可動板３２によって、表示画面１２ａに表示された図柄を適宜覆い隠すことができるため、覆い隠した図柄を対象に特別的な図柄変更表示を行うことで興趣性の向上が図れる。
【符号の説明】
【００３３】
３  遊技盤
９  遊技領域
１０  中央役物ユニット
１１  装飾ケース
１１ａ  開口
１２  可変表示装置
１２ａ  表示画面
１３，１４  始動入賞口
２２  スリット
２３  可動役物装置
２４  モータ
２８  スクリューシャフト
２８ａ  螺旋状溝
２９  ガイドシャフト
３０  支持部材
３０ａ  ストッパ
３１  スライダ
３２  可動板
３２ａ  軸孔
３２ｂ  当接部
３２ｂ−１  直線部分
３３  回路基板
３４  光センサ
３５  上側移動体
３５ａ  半筒部
３５ｂ  検出片
３５ｃ，３５ｄ  支軸
３５ｅ  規制突起
３６  下側移動体
３６ａ  受け部３６ａ
３７  止め板
３８  コイルばね（ばね部材）
Ｓ１  収納スペース
Ｓ２  クリアランス
【図１】
2010183962.tif 000003
【図２】
2010183962.tif 000004
【図３】
2010183962.tif 000005
【図４】
2010183962.tif 000006
【図５】
2010183962.tif 000007
【図６】
2010183962.tif 000008
【図７】
2010183962.tif 000009
【図８】
2010183962.tif 000010
【図９】
2010183962.tif 000011
【図１０】
2010183962.tif 000012
【図１１】
2010183962.tif 000013